(57)【要約】【課題】箱の取り扱いに慣れていなくても、箱の蓋を片手で簡単かつ迅速に開ける。【解決手段】この箱Ｃは、天面側の一方の蓋１６１を連接される背面板１１に対向する正面板１３の天面側の一方の開口側の端部に、差し込み片係止部１３Ａと、開口部１３Ｂとを備え、天面側の一方の蓋１６１の先端にフラップ１６２、フラップ１６２の先端に差し込み片１７、差し込み片１７の先端に切り取り線１７０を介して固定部１８を備え、蓋１６１の開封を、正面板１３を押すことで行い、蓋１６１の開蓋を、左右両側の各側面板１４、１２を押すことで行う。【選択図】図３
2019006486.tif 000002
【特許請求の範囲】
【請求項１】
４側面板により筒形に組み立てられてその両端に形成される一方の開口を前記４側面板の一つに折れ線を介して連接される一方の蓋により開閉可能に閉鎖され、他方の開口は前記４側面板の一つに折れ線を介して連接される他方の蓋により封止される形式の包装用箱において、
前記一方の蓋を連接される一側面板に対向する他の側面板の前記一方の開口側の端部に、
中央に前記他方の開口側に向けて凸の円弧状の中央の切り込み部、前記中央の切り込み部に連続して両端に前記一方の開口側に向けて凸の円弧状の両端の切り込み部、及び前記両端の切り込み部を延長して前記他方の開口方向でかつ前記他の側面板の両側部に向けて斜めに延びる両端の切り込み延長部からなる差し込み片係止部と、
前記両端の切り込み部と前記両端の切り込み延長部との間から前記一方の開口側に略コ字形に又は略円弧状に切り抜かれて形成される開口部と、
を備え、
前記一方の蓋の先端に、
前記他の側面板の前記一方の開口側の端部に延び、先端に前記差し込み片係止部に係合可能な差し込み片を有するフラップと、
前記差し込み片の先端に切り取り線を介して連続し、前記他の側面板の前記差し込み片係止部の前記他方の開口側の縁部近傍で前記差し込み片係止部の両端に略隣接して接着される固定部と、
を備え、
前記一方の蓋の開封を、前記他の側面板を押すことで行い、
前記一方の蓋の再封を、前記フラップ先端の前記差し込み片を前記他の側面板の差し込み片係止部に差し込み係止することにより行い、
前記一方の蓋の開蓋を、前記他の側面板の両側の各側面板を押すことで行う、
ことを特徴とするワンプッシュ開封・開蓋機能付き包装用箱。
【請求項２】
差し込み片はフラップの先端に略円弧状に突出して形成される請求項１に記載のワンプッシュ開封・開蓋機能付き包装用箱。
【請求項３】
他の側面板の一方の開口側の端部で、差し込み片係止部の中央に当該中央から他方の開口側に向けて前記他の側面板の両側部と平行に罫線が付けられ、開口部と前記一方の開口縁部との間の前記開口部の中央及び両側部に対応する位置に前記他の側面板の両側部と平行に罫線が付けられ、前記差し込み片先端の固定部の中央で前記差し込み片係止部中央の前記折れ線に重なる位置に前記他の側面板の両側部と平行に罫線が付けられる請求項１又は２に記載のワンプッシュ開封・開蓋機能付き包装用箱。
【発明の詳細な説明】
【技術分野】
【０００１】
本発明は、医薬品などの物品を収納するのに使用する包装用箱に関し、特に、箱の開封、箱の開封後の開蓋を簡単に行い得るワンプッシュ開封・開蓋機能付き包装用箱に関する。
【背景技術】
【０００２】
一般に、医療機関の薬局や調剤薬局では、医薬品が包装用箱内に収納された状態で調剤棚や保管棚に保管され、医薬品を取り出す際は、その都度、包装用箱を一方の手に取り、蓋の開封前の箱であれば、箱の蓋を他方の手で開封し蓋を開けて、また、蓋の開封後の箱であれば、箱の蓋を他方の手で開けて、箱の中の医薬品を（他方の手で）取り出していることから、医薬品の取り出しに手間がかかっている。
そこで、従来より、箱を簡単に開封することのできる包装用箱が特許文献１、２などにより提案されている。
【０００３】
この文献１の包装用箱は、箱の胴部に全周に亘ってミシン目状の切込線が連続して刻設され、少なくとも一側板での切込線は迂回線状に形成されてこの迂回状の切込線で区画された部分に突片が設けられている。このようにして手指で突片を押し込むことで、手指の手掛かりとなる間隙を形成し、この間隙に手指を挿入して箱を引き上げることにより、突片の両端に連続する切込線の部分で箱の胴部を２分割するようにしている。これにより箱を容易に開封することができる。
【０００４】
この文献２の包装用箱は、筒体に組み立てられた側面と、側面の１つに折罫線で区切られて設けられ筒体の上方の開口端部を閉鎖する外蓋片と、外蓋片が設けられた側面と平行に位置する側面に折罫線で区切られて設けられ外蓋片の裏面に重ねられる内蓋片とを備え、外蓋片の裏面には、この外蓋片を筒体の開口縁部に対して平行な状態で内蓋片に重ねると内蓋片に重なる位置に、係止突起が一体に設けられている。このようにして、外蓋片を内蓋片の外側に重ねて筒体の内側に押し込むと、係止突起が内蓋片の表面に当接し、さらに外蓋片を箱体の中に押し込むと、係止突起が内蓋片の端部を乗り越えるとともに、内蓋片が外蓋片に当たり、内蓋片の端部が外蓋片と係止突起の間に差し込まれて保持され、外蓋片と内蓋片が係合されるようになっている。これにより、簡単な操作で再封と開封を行うことができる。
【先行技術文献】
【特許文献】
【０００５】
【特許文献１】特開平１０−５９３５６号公報
【特許文献２】特開２０１６−９８０００号公報
【発明の概要】
【発明が解決しようとする課題】
【０００６】
ところで、医療機関の薬局や調剤薬局においては、医師から出された処方箋に従って誤りなく調剤が行われているが、他面で、患者の方々に医薬品を迅速に交付するために、医薬品の取り出しにさまざまな取り組みがなされている。例えば、右手に処方箋を持ちながら、左手で調剤棚や保管棚から医薬品の入った箱を取り、左手だけで箱の蓋を開けて、箱から薬の入ったＰＴＰシートを取り出すようなことが実際に行われている。
しかしながら、既述のような従来の医薬品包装用の箱は、一般に、片手で開封したり開蓋したりできるような設計になっていないため、箱の取り扱いにかなり慣れた者でないと、箱を片手で開封したり開蓋したりすることはできない。
【０００７】
本発明は、このような従来の問題を解決するもので、箱の取り扱いに慣れていなくても、箱の蓋を片手で簡単かつ迅速に開けることができ、医療従事者による箱の開封、開蓋などの作業効率を著しく高めることのできるワンプッシュ開封・開蓋機能付き包装用箱を提供すること、を目的とする。
【課題を解決するための手段】
【０００８】
上記目的を達成するために、本発明のワンプッシュ開封・開蓋機能付き包装用箱は、
４側面板により筒形に組み立てられてその両端に形成される一方の開口を前記４側面板の一つに折れ線を介して連接される一方の蓋により開閉可能に閉鎖され、他方の開口は前記４側面板の一つに折れ線を介して連接される他方の蓋により封止される形式の包装用箱において、
前記一方の蓋を連接される一側面板に対向する他の側面板の前記一方の開口側の端部に、
中央に前記他方の開口側に向けて凸の円弧状の中央の切り込み部、前記中央の切り込み部に連続して両端に前記一方の開口側に向けて凸の円弧状の両端の切り込み部、及び前記両端の切り込み部を延長して前記他方の開口方向でかつ前記他の側面板の両側部に向けて斜めに延びる両端の切り込み延長部からなる差し込み片係止部と、
前記両端の切り込み部と前記両端の切り込み延長部との間から前記一方の開口側に略コ字形に又は略円弧状に切り抜かれて形成される開口部と、
を備え、
前記一方の蓋の先端に、
前記他の側面板の前記一方の開口側の端部に延び、先端に前記差し込み片係止部に係合可能な差し込み片を有するフラップと、
前記差し込み片の先端に切り取り線を介して連続し、前記他の側面板の前記差し込み片係止部の前記他方の開口側の縁部近傍で前記差し込み片係止部の両端に略隣接して接着される固定部と、
を備え、
前記一方の蓋の開封を、前記他の側面板を押すことで行い、
前記一方の蓋の再封を、前記フラップ先端の前記差し込み片を前記他の側面板の差し込み片係止部に差し込み係止することにより行い、
前記一方の蓋の開蓋を、前記他の側面板の両側の各側面板を押すことで行う、
ことを要旨とする。
この場合、差し込み片はフラップの先端に略円弧状に突出して形成されることが好ましい。
また、この場合、他の側面板の一方の開口側の端部で、差し込み片係止部の中央に当該中央から他方の開口側に向けて前記他の側面板の両側部と平行に罫線が付けられ、開口部と前記一方の開口縁部との間の前記開口部の中央及び両側部に対応する位置に前記他の側面板の両側部と平行に罫線が付けられ、前記差し込み片先端の固定部の中央で前記差し込み片係止部中央の前記折れ線に重なる位置に前記他の側面板の両側部と平行に罫線が付けられることが好ましい。
【発明の効果】
【０００９】
本発明のワンプッシュ開封・開蓋機能付き包装用箱によれば、上記のとおり、一方の蓋を連接される一側面板に対向する他の側面板の一方の開口側の端部に、差し込み片係止部と、開口部とを備え、一方の蓋の先端にフラップ、フラップの先端に差し込み片、差し込み片の先端に切り取り線を介して固定部をそれぞれ備え、一方の蓋の開封を、他の側面板を押すことで行い、一方の蓋の再封を、フラップ先端の差し込み片を他の側面板の差し込み片係止部に差し込み係止することにより行い、一方の蓋の開蓋を、他の側面板の両側の各側面板を押すことで行うようにしたので、箱の取り扱いに慣れていなくても、箱の蓋を片手で簡単かつ迅速に開けることができ、医療従事者による箱の開封、開蓋などの作業効率を著しく高めることができる、という本発明独自の格別な効果を奏する。
【図面の簡単な説明】
【００１０】
【図１】本発明の一実施の形態におけるワンプッシュ開封・開蓋機能付き包装用箱の外部構成を示す図（斜視図）
【図２】同包装用箱の展開した状態を示す図（展開図）
【図３】同包装用箱の開封方法を示す図（（ａ）は開封前の斜視図（ｂ）は開封後の斜視図）
【図４】同包装用箱の再封方法を示す図（（ａ）は再封前の斜視図（ｂ）は再封後の斜視図）
【図５】同包装用箱を開封後、再封した状態を示す図（斜視図）
【図６】同包装用箱の開蓋方法を示す図（（ａ）は開蓋前の斜視図（ｂ）は開蓋後の斜視図）
【図７】同包装用箱を開封した状態、及び再封後、開蓋した状態を示す図（斜視図）
【発明を実施するための形態】
【００１１】
次に、この発明を実施するための形態について図を用いて説明する。
図１、図２にワンプッシュ開封・開蓋機能付き包装用箱を示している。図１はワンプッシュ開封・開蓋機能付き包装用箱の外部構成を示す斜視図であり、図２はワンプッシュ開封・開蓋機能付き包装用箱の展開図である。
【００１２】
図１、図２に示すように、ワンプッシュ開封・開蓋機能付き包装用箱Ｃ（以下、包装用箱Ｃ又は箱Ｃという場合がある。）は、ボール紙、クラフト紙のような比較的厚さがあり直立性のある紙材により形成され、箱Ｃの正面、背面及び左右両側面をなす４側面板１１−１４と、箱Ｃの底面をなす底蓋１５と、箱Ｃの天面をなす天蓋１６とにより構成される。
また、この包装用箱Ｃは、底蓋１５、天蓋１６がそれぞれ、４側面板１１−１４のうち相互に対向する２側面板１４、１２の各端縁部に折れ線Ｌ９，Ｌ１１、Ｌ１０，Ｌ１２を介して連接される一対のフラップ１５３，１５４、１６３，１６４、及び２側面板１４、１２間の両方の側面板１３、１１の端縁部に折れ線Ｌ５、Ｌ７を介して連接される先端にフラップ１５２、１６２を有する蓋１５１、１６１を有し、箱Ｃの底面開口が底蓋１５により封止され、天面開口が天蓋１６により封止され、開封後、開閉可能に閉じられる。
このようにしてこの箱Ｃは４側面板１１−１４により筒形に組み立てられてその上下両端に形成される天面側の一方の開口を４側面板１１−１４の一つに折れ線Ｌ７を介して連接される一方の蓋１６１により、開閉可能に閉鎖され、底面側の他方の開口は４側面板１１−１４の一つに折れ線Ｌ５を介して連接される他方の蓋１５１により封止される形式になっている。
【００１３】
この箱Ｃの場合、全体が、縦に長い直方体状に構成され、前後の側面板１３、１１、すなわち、正面板１３、背面板１１はそれぞれ、同じ大きさの縦長の長方形で、左右の側面板１４、１２はそれぞれ、正面板１３、背面板１１よりも幅が少し狭い同じ大きさの縦長の長方形になっている。なお、この場合、背面板１１の左側面板１４とは反対側の側縁部に接続片１１１が形成され、この接続片１１１が右側面板１２の裏面で背面側縁部に糊を介して接続される。
【００１４】
底蓋１５は、４側面板１１−１４のうちの３側面板１４、１２、１３の各端縁部、この場合、左右の各側面板１４、１２の下端縁部から折れ線Ｌ９、Ｌ１１を介して連接される左右一対のフラップ１５３、１５４と、正面板１３の下端縁部から折れ線Ｌ５を介して連接される蓋１５１とからなる。この場合、左右の一対のフラップ１５３、１５４はそれぞれ、箱Ｃの底面開口（底面開口の左右両端）を部分的に被覆可能に全体が略台形に形成される。蓋１５１は箱Ｃの天面開口の全部を被覆可能に全体が略矩形状に形成され、蓋１５１の先端にフラップ１５２が横長の略矩形状に左右両端を角丸にして形成される。このようにして箱Ｃの底面開口は各フラップ１５３、１５４、蓋１５１により順次閉じられ、蓋１５１先端のフラップ１５２が背面板１１内面の底面側に糊付けされることにより封止される。
【００１５】
天蓋１６は、底蓋１５と若干異なり、４側面板１１−１４のうちの３側面板１４、１２、１１の各端縁部、この場合、左右各側面板１４、１２の上端縁部から折れ線Ｌ１０、Ｌ１２を介して連接される左右一対のフラップ１６３、１６４と、背面板１１の上端縁部から折れ線Ｌ７を介して連接される蓋１６１及びこの蓋１６１の先端から突出されるフラップ１６２とからなる。この場合、左右一対のフラップ１６３、１６４はそれぞれ、箱Ｃの天面開口（天面開口の左右両端）を部分的に被覆可能に全体が略台形状に形成される。蓋１６１は箱Ｃの天面開口の全部を被覆可能に全体が略矩形状に形成され、フラップ１６２は底蓋１５の蓋１５１のフラップ１５２とは若干異なる形状で、その先端に固定部１８を併せて有している。この形状や固定部１８については後述する。このようにして箱Ｃの天面開口は各フラップ１６３、１６４、蓋１６１により順次閉じられ、蓋１６１のフラップ１６２先端の固定部１８が正面板１３外面の天面側の端部に糊付けされることにより封止される。
【００１６】
そして、図２に示すように（また、必要に応じて図７参照）、この包装用箱Ｃでは、特に、天面側の一方の蓋１６１を連接される一側面板１１に対向する他の側面板１３の一方の開口側の端部に、中央に他方の開口側に向けて凸の円弧状の中央の切り込み部１３１、中央の切り込み部１３１に連続して両端に一方の開口側に向けて凸の円弧状の両端の切り込み部１３２、及び両端の切り込み部１３２を延長して他方の開口方向でかつ他の側面板１３の両側部に向けて斜めに延びる両端の切り込み延長部１３３からなる差し込み片係止部１３Ａと、両端の切り込み部１３２と両端の切り込み延長部１３３との間から一方の開口側に略コ字形に切り抜かれて形成される開口部１３Ｂとを備える。
また、一方の蓋１６１の先端に、他の側面板１３の一方の開口側の端部に延び、先端に差し込み片係止部１３Ａに係合可能な差し込み片１７を有するフラップ１６２と、差し込み片１７の先端にミシン目からなる切り取り線１７０を介して連続し、他の側面板１３の差し込み片係止部１３Ａの他方の開口側の縁部近傍で差し込み片係止部１３Ａの両端に略隣接して接着される固定部１８とを備える。
【００１７】
この場合、天蓋１６の蓋１６１を連接される背面板１１に対向する正面板１３の天面側の一方の開口側の端部に、中央の切り込み部１３１が底面側の他方の開口側に向けて凸の長い円弧状に、両端の切り込み部１３２が中央の切り込み部１３１の両端に連続して天面側の一方の開口側に向けて凸の短い円弧状に、両端の切り込み延長部１３３が両端の切り込み部１３２の端部から延長して底面側の他方の開口方向でかつ正面板１３の両側部に向けて斜めに短い直線状に、それぞれ切り込み形成されて、差し込み片係止部１３Ａが形成され、開口部１３Ｂは、この差し込み係止部１３Ａの両端の切り込み部１３２と両端の切り込み延長部１３３との間から天面側の一方の開口側に略コ字形に切り抜かれて形成される。
また、この場合、正面板１３の天面側の一方の開口側の端部で、差し込み片係止部１３Ａの中央にこの中央から底面側の他方の開口側に向けて（つまり、差し込み片係止部１３Ａの中央下部に）正面板１３の両側部と平行に短い罫線（押罫による折り溝）Ｋ１が付けられ、開口部１３Ｂと天面側の一方の開口の縁部との間の開口部１３Ｂの中央及び両側部に対応する位置に（つまり、開口部１３Ｂの上部の中央及び左右両側に）正面板１３の両側部と平行に罫線Ｋ２が付けられる。
【００１８】
この場合、天蓋１６の蓋１６１の先端に、フラップ１６２が横長の略矩形状に形成されて正面板１３の天面側の一方の開口側の端部に略開口部１３Ｂまで延び、その先端に差し込み片１７がフラップ１６２の両端から内方に斜めに延び、（差し込み片１７の）先端が差し込み片係止部１３Ａに係合可能に略円弧状に形成される。固定部１８は、差し込み片１７の先端にミシン目からなる切り取り線１７０を介して連続し、正面板１３の差し込み片係止部１３Ａの底面側の他方の開口側の縁部近傍で差し込み片係止部１３Ａの両端の切り込み延長部１３３の両端に略隣接して接着可能に横長の略矩形状に形成される。
また、この場合、差し込み片１７先端の固定部１８の幅方向中央で正面板１３の差し込み片係止部１３Ａ中央の罫線Ｋ１に重なる位置に正面板１３の両側部と平行に罫線Ｋ３が付けられる。
【００１９】
なお、この箱Ｃは、図２に示すように、全体が一枚のブランクシートから一体的に打ち抜かれて形成される一枚の紙基材Ｐからなる。
この紙基材Ｐは、展開した状態において、組み立て時に箱Ｃの背面板１１をなす背面板部Ｐ１１と、背面板部Ｐ１１の左側部に折れ線Ｌ４を介して連続して設けられ、組み立て時に箱Ｃの右側面板１２の裏面に固定される接続片部Ｐ１１１と、背面板部Ｐ１１の右側部に折れ線Ｌ１を介して連続して設けられ、組み立て時に箱Ｃの左側面板１４をなす左側面板部Ｐ１４と、左側面板部Ｐ１４の右側部に折れ線Ｌ２を介して連続して設けられ、組み立て時に箱Ｃの正面板１３をなす正面板部Ｐ１３と、正面板部Ｐ１３の右側部に折れ線Ｌ３を介して連続して設けられ、組み立て時に箱Ｃの右側面板１２をなす右側面板部Ｐ１２と、正面板部Ｐ１３の下側部に折れ線Ｌ５を介して連続して設けられ、組み立て時に底蓋１５の蓋１５１をなす蓋部Ｐ１５１と、蓋部Ｐ１５１の下端（先端）に折れ線Ｌ６を介して連続して設けられ、組み立て時にフラップ１５２をなすフラップ部Ｐ１５２と、背面板部Ｐ１１の上側部に折れ線Ｌ７を介して連続して設けられ、組み立て時に天蓋１６の蓋１６１をなす蓋部Ｐ１６１と、蓋部Ｐ１６１の上端（先端）に折れ線Ｌ８を介して連続して設けられ、組み立て時にフラップ１６２をなす先端に差し込み片１７を有するフラップ部Ｐ１６２と、フラップ部Ｐ１６２の差し込み片１７の先端に切り取り線１７０を介して連続して設けられ、組み立て時に固定部１８をなす固定部Ｐ１８と、左側面板部Ｐ１４の下側部に折れ線Ｌ９を介して連続して設けられ、組み立て時に底蓋１５の左のフラップ１５３をなす左のフラップ部Ｐ１５３と、左側面板部Ｐ１４の上側部に折れ線Ｌ１０を介して連続して設けられ、組み立て時に天蓋１６の左のフラップ１６３をなす左のフラップ部Ｐ１６３と、右側面板部Ｐ１２の下側部に折れ線Ｌ１１を介して連続して設けられ、組み立て時に底蓋１５の右のフラップ１５４をなす右のフラップ部Ｐ１５４と、右側面板部Ｐ１２の上側部に折れ線Ｌ１２を介して連続して設けられ、組み立て時に天蓋１６の右のフラップ１６４をなす右のフラップ部Ｐ１６４と、を備える。この紙基材Ｐの各部の大きさや形状、正面板部Ｐ１３の差し込み片係止部１３Ａ及び開口部１３Ｂの位置と形状、さらに、罫線Ｋ１、Ｋ２の付設、天面側の一方の蓋部Ｐ１６１の差し込み片１７及び固定部１８の位置と形状、さらに罫線Ｋ３の付設は既述のとおりである。
紙基材Ｐはかかる構成からなり、この紙基材Ｐから、背面板部Ｐ１１の左側部に設けられた接続片部Ｐ１１１が右側面板部Ｐ１２内面の背面側の縁部に糊を介して結合され、４側面板部Ｐ１１−Ｐ１４の底面開口が左右の各フラップ部Ｐ１５３、Ｐ１５４を介して蓋部Ｐ１５１により閉じられ、蓋部Ｐ１５１下端のフラップ部Ｐ１５２が背面板部Ｐ１１内面の底面側の端部に糊付けされることで封止され、天面を開口された箱Ｃが組み立てられる。
そして、この箱Ｃは天面の開口より医薬品の収納後、天面の開口が天蓋１６により封じられる。すなわち、箱Ｃの天面の開口が左右の各フラップ部Ｐ１６３、Ｐ１６４を介して蓋部Ｐ１６１により閉じられ、蓋１６１先端の固定部１８が正面板１３外面の天面側の端部、この場合、差し込み片係止部１３Ａの底面側の他方の開口側の縁部近傍で差し込み片係止部１３Ａの両端の切り込み延長部１３３の両端に略隣接する位置に糊付けされて封止される（図１参照）。
【００２０】
このようにして包装用箱Ｃは、底面開口が各フラップ１５３、１５４を介して蓋１５１により閉じられ、蓋１５１先端のフラップ１５２が背面板１１内面の底面側の端部に糊付けされて封止され、そして、天面開口が各フラップ１６３、１６４を介して蓋１６１により閉じられ、蓋１６１先端の固定部１８が正面板１３外面の差し込み片係止部１３Ａの底面側の他方の開口側の縁部近傍（つまり、差し込み片係止部１３Ａの少し下）で差し込み片係止部１３Ａの両端の切り込み延長部１３３の両端に略隣接して糊付けされ封止される。
かくしてこの箱Ｃは、天面側の一方の蓋１６１の開封を、他の側面板１３、この場合、正面板１３を押すことで行い、天面側の一方の蓋１６１の再封を、フラップ１６２先端の差し込み片１７を他の側面板１３、この場合、正面板１３の差し込み片係止部１３Ａに差し込み係止することにより行い、天面側の一方の蓋１６１の開蓋を、他の側面板１３、この場合、正面板１３の左右両側の各側面板１４、１２を押すことで行うようになっている。
【００２１】
図３乃至図７にこの箱Ｃの初期の開封方法、開封後の蓋１６１の閉め方（再封方法）、開け方（開蓋方法）を示している。
まず、医薬品を取り出すため、天蓋１６を開封するときは、図３（ａ）に示すように、箱Ｃを片手で持ち、正面板（他の側面板）１３を親指で押すことで行う。この場合、正面板の特に固定部１８を押すことが好ましい。この正面板１３の固定部１８を押すと、図３（ｂ）に示すように、正面板１３が箱Ｃの内方（背面板１１方向）に向けて略湾曲状に膨出変形する。特に、固定部１８及び正面板１３の天面側の一方の開口側の端部には、罫線Ｋ１、Ｋ２、Ｋ３が付けられていることにより、固定部１８が箱Ｃの内方（背面板１１方向）に向けて略湾曲状に膨出変形しやすくなっており効果的に膨出変形し、このときフラップ１６２の差し込み片１７は正面板１３の変形に影響されないことから、フラップ１６２の差し込み片１７と固定部１８との間にせん断力が作用して差し込み片１７が固定部１８から切り取り線１７０に沿って切り離され、箱Ｃが開封される。この開封と同時に、天面側の一方の蓋１６１は蓋１６１自体の復元作用により開方向に起立回動する。図７に箱Ｃの開封後の状態を示す。これにより、箱Ｃの中から医薬品を取り出すことができる。
また、医薬品の取り出し後、天面側の一方の蓋１６１を閉めるときは、図４（ａ）に示すように、この蓋１６１を天面の開口まで倒伏回動させて閉じ、このときに、図４（ｂ）に示すように、フラップ１６２先端の差し込み片１７を正面板１３の差し込み片係止部１３Ａに差し込み係止すればよい。図５に示すように、この差し込み片１７と差し込み片係止部１３Ａとの係合により、天面側の一方の蓋１６１は箱Ｃの天面開口上に保持される。この再封も片手でできる。
そして、再び、箱Ｃから医薬品を取り出すため、天面側の一方の蓋１６１を開けるときは、図６（ａ）に示すように、箱Ｃを片手で持ち、正面板１３の左右両側の各側面板１４、１２を親指と人差し指で同時に押すことで行う。この場合、左右の各側面板１４、１２の特に天面側の端部を押すことが好ましい。この左右の各側面板１４、１２の天面側の端部を同時に押すと、図６（ｂ）に示すように、正面板１３が箱Ｃの外方（正面板１３の前方）に向けて略湾曲状に膨出変形し、特に、固定部１８及び正面板１３の天面側の一方の開口側の端部には、罫線Ｋ１、Ｋ２、Ｋ３が付けられていることにより、差し込み片係止部１３Ａが箱Ｃの外方（正面板１３の前方）に向けて略湾曲状に膨出変形しやすくなっており効果的に膨出変形し、このときフラップ１６２の差し込み片１７は正面板１３の変形に影響されないことから、差し込み片係止部１３Ａと天面側の一方の蓋１６１先端のフラップ１６２の差し込み片１７との係合が解除される。この解除と同時に、天面側の一方の蓋１６１は蓋１６１自体の復元作用により開方向に起立回動する。図７に箱Ｃの開蓋後の状態を示す。これにより、箱Ｃの中から医薬品を取り出すことができる。
【００２２】
以上説明したように、このワンプッシュ開封・開蓋機能付き包装用箱Ｃによれば、天面側の一方の蓋１６１を連接される一側面板１１（この場合、背面板１１）に対向する他の側面板１３（この場合、正面板１３）の天面側の一方の開口側の端部に、差し込み片係止部１３Ａと、開口部１３Ｂとを備え、天面側の一方の蓋１６１の先端にフラップ１６２、フラップ１６２の先端に差し込み片１７、差し込み片１７の先端に切り取り線１７０を介して固定部１８をそれぞれ備え、天面側の一方の蓋１６１の開封を、他の側面板１３（この場合、正面板１３）を押すことで行い、天面側の一方の蓋１６１の再封を、フラップ１６２先端の差し込み片１７を他の側面板１３（この場合、正面板１３）の差し込み片係止部１３Ａに差し込み係止することにより行い、天面側の一方の蓋１６１の開蓋を、他の側面板１３（この場合、正面板１３）の両側の各側面板１４、１２（この場合、左右の各側面板１４、１２）を押すことで行うようにしたので、箱Ｃの取り扱いに慣れていなくても、箱Ｃの蓋１６１を片手で簡単かつ迅速に開けることができる。したがって、医療従事者による箱Ｃの開封、開蓋などの作業効率を著しく高めることができる。
【００２３】
また、この包装用箱Ｃでは、他の側面板１３（この場合、正面板１３）の天面側の一方の開口側の端部で、差し込み片係止部１３Ａの中央にこの中央から底面側の他方の開口側に向けて他の側面板１３（この場合、正面板１３）の両側部と平行に罫線（押罫による折り溝）Ｋ１が付けられ、開口部１３Ｂと天面側の一方の開口の縁部との間の開口部１３Ｂの中央及び左右両側部に対応する位置に他の側面板１３（この場合、正面板１３）の両側部と平行に罫線Ｋ２が付けられ、差し込み片１７先端の固定部１８の幅方向中央で差し込み片係止部１３Ａ中央の罫線Ｋ１に重なる位置に他の側面板１３（この場合、正面板１３）の両側部と平行に罫線Ｋ３が付けられているので、箱Ｃの開封の際に、箱Ｃの他の側面板（正面板）１３を押したときに、特に天面側の一方の蓋１６１の固定部１８が箱Ｃの内方（背面板１１方向）に向けて略湾曲状に膨出変形しやすくなり、固定部１８を効果的に変形させて、差し込み片１７を固定部１８から切り取り線１７０に沿って確実かつ容易に切り離すことができ、また、箱Ｃの開蓋の際に、箱Ｃの他の側面板（この場合、正面板１３）の左右両側の各側面板１４、１２を同時に押したときに、特に他の側面板１３の差し込み片係止部１３Ａが箱Ｃの外方（正面板１３の前方）に向けて略湾曲状に膨出変形しやすくなり、差し込み片係止部１３Ａを効果的に変形させて、差し込み片係止部１３Ａと天面側の一方の蓋１６１先端のフラップ１６２の差し込み片１７との係合を確実かつ容易に解除することができる。
【００２４】
なお、上記実施の形態では、正面板１３の開口部１３Ｂが、差し込み片係止部１３Ａの両端の切り込み部１３２と両端の切り込み延長部１３３との間から天面側の一方の開口側に略コ字形に切り抜かれて形成されるものとしたが、この開口部１３Ｂは略円弧状に切り抜かれて形成されてもよい。このようにしても、上記実施の形態と同様の作用効果を奏することができる。
また、上記実施の形態では、ワンプッシュ開封・開蓋機能を縦に長い箱に適用した場合を例示したが、横に長い箱でも、両端の蓋をそれぞれ、天面側の蓋、底面側の蓋と見立てれば、ワンプッシュ開封・開蓋機能を横に長い箱にも同様に適用できることは勿論である。
【符号の説明】
【００２５】
Ｃ  ワンプッシュ開封・開蓋機能付き包装用箱
１１ 背面板
１１１  接続片
１２ 右側面板
１３ 正面板
１３Ａ  差し込み片係止部
１３１  中央の切り込み部
１３２  両端の切り込み部
１３３  両端の切り込み延長部
１３Ｂ  開口部
Ｋ１、Ｋ２  罫線
１４ 左側面板
１５  底蓋
１５１  蓋
１５２  フラップ
１５３  左のフラップ
１５４  右のフラップ
１６  天蓋
１６１  蓋
１６２  フラップ
１６３  左のフラップ
１６４  右のフラップ
１７  差し込み片
１７０  切り取り線
１８  固定部
Ｋ３  罫線
Ｐ  紙基材
Ｐ１１ 背面板部
Ｐ１１１  接続片部
Ｐ１２  右側面板部
Ｐ１３  正面板部
Ｐ１４  左側面板部
Ｐ１５１  蓋部
Ｐ１５２  フラップ部
Ｐ１５３  左のフラップ部
Ｐ１５４  右のフラップ部
Ｐ１６１  蓋部
Ｐ１６２  フラップ部
Ｐ１６３  左のフラップ部
Ｐ１６４  右のフラップ部
Ｌ１−Ｌ１２  折れ線
【図１】
2019006486.tif 000003
【図２】
2019006486.tif 000004
【図３】
2019006486.tif 000005
【図４】
2019006486.tif 000006
【図５】
2019006486.tif 000007
【図６】
2019006486.tif 000008
【図７】
2019006486.tif 000009